(57)【特許請求の範囲】
【請求項１】
歯列部を覆うように装着されて前記歯列部を矯正するマウスピースと、
前記マウスピースを覆うように被着及び取外し可能な矯正装置本体と、を備え、
前記矯正装置本体には、前記被着状態で前記マウスピースの歯肉側端部よりも歯肉部側に延びる延長部が設けられ、該延長部に複数の永久磁石が設けられ、これらの永久磁石は、それぞれ歯根間部に配置されていることを特徴とする歯列矯正装置。
【請求項２】
歯列部を覆うように装着されて前記歯列部を矯正するマウスピースと、
前記マウスピースを覆うように被着及び取外し可能な矯正装置本体と、を備え、
前記矯正装置本体には、前記被着状態で前記マウスピースの歯肉側端部よりも歯肉部側に延びる延長部が設けられ、該延長部に前記歯肉の形状に沿った板状の永久磁石が設けられ、この永久磁石が複数の歯根間部に跨るように配置されていることを特徴とする歯列矯正装置。
【請求項３】
前記永久磁石は、前記矯正装置本体に着脱自在に設けられていることを特徴とする請求項１又は２に記載の歯列矯正装置。
【請求項４】
前記永久磁石は、前記歯列部の歯頚ラインに対して歯根部側に４ｍｍ以上離間して配置されていることを特徴とする請求項１乃至３のいずれか一項に記載の歯列矯正装置。
【発明の詳細な説明】
【技術分野】
【０００１】
本発明は、歯列部を矯正するとき、その歯列部の移動を促進する歯列矯正装置に関する。
【背景技術】
【０００２】
従来、歯列部を矯正するとき、その歯列部の移動を促進するシステムには、例えば特許文献１に記載されたものがある。このシステムは、制御回路及び電源に応答して、第１タイプの電流が、複数の舌側電極の各々と複数の頬側電極のうちの特定の１つとの間に生成され、又は第２タイプの電流が、複数の舌側電極の隣接するものの各々の間及び複数の頬側電極の隣接するものの間に生成され、各電流は、制御回路に応答して別個に制御されるように構成されている。
【先行技術文献】
【特許文献】
【０００３】
【特許文献１】特表２０１７−５０８５２１号公報
【発明の概要】
【発明が解決しようとする課題】
【０００４】
しかしながら、上述した特許文献１に記載された従来のシステムでは、制御回路、電源、複数の舌側電極、及び複数の頬側電極が設けられていることから、構造が複雑化するとともに、制御も複雑になるという問題がある。
【０００５】
本発明はこのような問題に鑑みてなされたものであり、構造を極めて簡素化し、歯列部の移動を促進することが可能な歯列矯正装置を提供することを課題としている。
【課題を解決するための手段】
【０００６】
かかる課題を達成するために、請求項１に記載の発明は、歯列部を覆うように装着されて前記歯列部を矯正するマウスピースと、前記マウスピースを覆うように被着及び取外し可能な矯正装置本体と、を備え、前記矯正装置本体には、前記被着状態で前記マウスピースの歯肉側端部よりも歯肉部側に延びる延長部が設けられ、該延長部に複数の永久磁石が設けられ、これらの永久磁石は、それぞれ歯根間部に配置されていることを特徴とする。
【００１０】
また、請求項２に記載の発明は、歯列部を覆うように装着されて前記歯列部を矯正するマウスピースと、前記マウスピースを覆うように被着及び取外し可能な矯正装置本体と、を備え、前記矯正装置本体には、前記被着状態で前記マウスピースの歯肉側端部よりも歯肉部側に延びる延長部が設けられ、該延長部に前記歯肉の形状に沿った板状の永久磁石が設けられ、この永久磁石が複数の歯根間部に跨るように配置されていることを特徴とする。
【００１２】
また、請求項３に記載の発明は、請求項１又は２に記載の構成に加え、前記永久磁石は、前記矯正装置本体に着脱自在に設けられていることを特徴とする。
【００１３】
また、請求項４に記載の発明は、請求項１乃至３のいずれか一項に記載の構成に加え、前記永久磁石は、前記歯列部の歯頚ラインに対して歯根部側に４ｍｍ以上離間して配置されていることを特徴とする。
【発明の効果】
【００１５】
請求項１に記載の発明によれば、歯列部を覆うように装着されて歯列部を矯正するマウスピースと、このマウスピースを覆うように被着及び取外し可能な矯正装置本体とを備え、矯正装置本体には、被着状態でマウスピースの歯肉側端部よりも歯肉部側に延びる延長部が設けられ、該延長部に複数の永久磁石が設けられ、これらの永久磁石は、それぞれ歯根間部に配置されているので、構造を極めて簡素化し、歯根間部に位置する歯肉及び歯槽骨内の血行を良くして、歯列部の個々の歯を整列すべき方向への移動を促進することが可能となる。
また、請求項１に記載の発明によれば、矯正装置本体は、歯列部を覆うように装着されて歯列部を矯正するマウスピースに被着されるので、マウスピースで歯列部を矯正する際に、歯列部の個々の歯を整列すべき方向への移動を永久磁石で一段と促進することが可能となる。
さらに、請求項１に記載の発明によれば、永久磁石は、歯根間部のそれぞれに対応する部位に設けられているので、歯根間部に位置するそれぞれの歯肉に均等な磁力がかかることとなり、それぞれの歯肉及び歯槽骨内の血行を良くして、歯列部の移動を一段と促進することが可能となる。
【００１９】
また、請求項２に記載の発明によれば、請求項１の効果に加えて、矯正装置本体には、被着状態でマウスピースの歯肉側端部よりも歯肉部側に延びる延長部が設けられ、該延長部に歯肉の形状に沿った板状の永久磁石が設けられ、この永久磁石が複数の歯根間部に跨るように配置されているので、永久磁石の取付数を削減することができ、製造し易くなる。
また、請求項２に記載の発明によれば、永久磁石は、歯肉の形状に沿った板状に形成されているので、永久磁石が歯肉に密着することから、歯肉及び歯槽骨内の血行を一層良好とし、歯列部の移動を一段と促進することが可能となる。
【００２１】
また、請求項３に記載の発明によれば、永久磁石は、矯正装置本体に着脱自在に設けられているので、磁束密度の異なる永久磁石と逐次交換することが可能となる。
【００２２】
また、請求項４に記載の発明によれば、永久磁石は、歯列部の歯頚ラインに対して歯根部側に４ｍｍ以上離間して配置されているので、歯根間部に位置する歯肉及び歯槽骨内の血行が著しく良好となり、歯列部の移動を一段と促進することが可能となる。
【図面の簡単な説明】
【００２４】
【図１】本発明の第１実施形態に係る歯列矯正装置を上顎歯列部に装着した状態を示す下面図である。
【図２】第１実施形態に係る歯列矯正装置を上顎歯列部に装着した状態を示す斜視図である。
【図３】図１のＩＩＩ−ＩＩＩ線に沿う断面図である。
【図４】第１実施形態の第１変形例に係る歯列矯正装置を上顎歯列部に装着した状態を示す斜視図である。
【図５】本発明の第２実施形態に係る歯列矯正装置を上顎歯列部に装着した状態を示す下面図である。
【図６】図４のＶＩ−ＶＩ線に沿う断面図である。
【発明を実施するための形態】
【００２５】
以下、本発明の実施形態について説明する。
［発明の第１実施形態］
図１乃至図３は、本発明の第１実施形態を示す。
【００２６】
図１は、本発明の第１実施形態に係る歯列矯正装置を上顎歯列部に装着した状態を示す下面図である。図２は、第１実施形態に係る歯列矯正装置を上顎歯列部に装着した状態を示す斜視図である。図３は、図１のＩＩＩ−ＩＩＩ線に沿う断面図である。
【００２７】
なお、以下の各実施形態では、矯正装置本体を口腔内に挿入し、上顎歯列部に装着した例について説明する。また、以下の各実施形態では、矯正装置本体を上顎歯列部に装着に装着した状態で、その前歯側を前側、奥歯側を後側とし、舌側を内側、頬側を外側として説明する。ここで、前歯は、切歯であって、左右の中切歯、左右の側切歯、及び左右の犬歯を備える。奥歯は、臼歯であって、左右の第１、第２小臼歯、左右の第１〜第３大臼歯を備える。
【００２８】
図１及び図２に示すように、本実施形態は、マウスピース１に矯正装置本体としての歯列矯正具１０が被着可能に設けられている。マウスピース１は、口腔２内に挿入され、上顎歯列部３を覆うように装着されている。マウスピース１は、上顎歯列部３に装着されて上顎歯列部３を横方向に拡げるとともに、上顎歯列部３の個々の歯を整列すべき方向に移動させる形状に成型した成型物（アライナー）である。
【００２９】
マウスピース１は、透明なプラスチック製であり、上顎歯列部３の全ての歯、すなわち上顎歯列部３の前歯４及び奥歯５の歯冠部６を覆って所定の形状を保持する硬度を有している。マウスピース１は、例えば複数異なる大きさのもの、あるいは異なる硬さのものを段階的に用意して、それらを定期的に交換することにより矯正治療を進めていくものである。
【００３０】
歯列矯正具１０は、上顎歯列部３に装着されたマウスピース１の上から上顎歯列部３の前歯４及び奥歯５の歯冠部６を覆うように被着可能に設けられている。歯列矯正具１０は、全体が弾性を有する樹脂材料で例えば１ｍｍの厚さに一体成形されている。具体的に、上記樹脂材料は、例えばポリウレタン等のウレタン樹脂、シリコン樹脂、ポリオレフィン系樹脂、スチレン系樹脂及びアクリル樹脂等から選択して使用される。上記樹脂材料は、無色透明又は乳白色であることが望ましく、これにより口腔２内に挿入した場合、上顎歯列部３に装着していることが目立たず、審美性に優れたものとなる。
【００３１】
歯列矯正具１０は、マウスピース１と同様に上顎歯列部３の個々の歯を整列すべき方向に徐々に移動させる形状に成型した成型物（アライナー）である。歯列矯正具１０は、口腔２内の上顎歯列部３の全ての歯、すなわち上顎歯列部３の前歯４及び奥歯５を覆って所定の形状を保持する硬度を有している。歯列矯正具１０は、上顎歯列部３の歯列弓（アーチ）に沿った形状に形成されて前歯４及び奥歯５の咬合部としての歯冠部６を覆うとともに、歯肉７側に位置する歯肉部８まで延びている。すなわち、歯列矯正具１０は、図３に示すように上顎歯列部３の歯根部９及び歯根間部９ａに位置する歯肉７を覆うように装着されている。ここで、歯根間部９ａとは、前歯４又は奥歯５の歯根部９と歯根部９との間の部分のことである。
【００３２】
歯列矯正具１０は、歯根間部９ａに位置する歯肉７に対応する部位に永久磁石１２が埋設されている。本実施形態では、永久磁石１２が舌側（内側）に１０個設けられ、これらの永久磁石１２のそれぞれと対向する頬側（外側）に１０個設けられている。具体的には、永久磁石１２は、図１に示すように左右の前歯４にそれぞれ６個設けられ、左右の奥歯５にそれぞれ４個設けられている。この場合、永久磁石１２は、左右の前歯４及び奥歯５の全ての歯根間部９ａに位置する歯肉７にそれぞれに対応する舌側（内側）及び頬側（外側）の部位に設けるようにしてもよい。
【００３３】
永久磁石１２は、図２に示すように円板状に形成されている。この場合、永久磁石１２は、円板状に限らず、半円状、楕円状、又は多角形板状に形成されたものでもよい。
【００３４】
永久磁石１２は、図２に示すように前歯４及び奥歯５の各歯頚ラインＬに対する間隔Ｄが４ｍｍ以上歯根部９側に離間して配置されている。因みに、永久磁石１２を前歯４及び奥歯５の各歯頚ラインＬに対する間隔Ｄを４ｍｍ未満から徐々に接近させた場合には、歯肉７及び歯槽骨の血行を良くする効果が徐々に低下することとなる。一方、永久磁石１２を前歯４及び奥歯５の各歯頚ラインＬに対する間隔Ｄが歯根部９側に４ｍｍから徐々に離間して歯根部９の根元に対応する部分に至る範囲に配置した場合には、血行を良くする効果が略同様に得られる。
【００３５】
永久磁石１２には、例えばアルニコ磁石、フェライト磁石、希土類磁石等の他、ゴム磁石、塩化ビニル磁石、プラスチック磁石等の柔軟性を有する磁石が用いられる。また、永久磁石１２は、歯根間部９ａに位置する歯肉７及び歯槽骨の血行を良くして、上顎歯列部３の移動を促進する磁束密度に設定される。具体的に、本実施形態の永久磁石１２は、その磁束密度が例えば１００〜３００ミリテスラの磁石が用いられる。
【００３６】
なお、本実施形態では、歯列矯正具１０における歯根間部９ａに位置する歯肉７に対応する部位に永久磁石１２を一体に設けた例について説明したが、これに限らず永久磁石１２を歯列矯正具１０に対して着脱可能に設けるようにしてもよい。
【００３７】
次に、本実施形態の歯列矯正具１０の作用を説明する。
【００３８】
まず、マウスピース１が口腔２内に挿入され、上顎歯列部３を覆うように装着される。次いで、永久磁石１２が埋設された歯列矯正具１０が上顎歯列部３に装着されたマウスピース１の上から上顎歯列部３の前歯４及び奥歯５の歯冠部６を覆うように被着される。
【００３９】
このようにしてマウスピース１及び歯列矯正具１０は、それぞれアライナーとして使用され、個々の歯を整列すべき方向に徐々に移動させるようにしている。ここで、歯列矯正具１０には、歯根間部９ａに位置する歯肉７に対応する部位に永久磁石１２が埋設されていることから、永久磁石１２の磁力によって歯根間部９ａに位置する歯肉７及び歯槽骨内の皮下組織の細胞内において新陳代謝が促進されて血行が良くなり、その結果、上顎歯列部３の移動を促進することが可能となる。
【００４０】
このように本実施形態によれば、上顎歯列部３の歯根間部９ａに位置する歯肉７を覆うように歯列矯正具１０が装着され、この歯列矯正具１０は、歯根部９に位置する歯肉７に対応する部位に永久磁石１２が設けられているので、構造を極めて簡素化し、歯根間部９ａに位置する歯肉７及び歯槽骨内の血行を良くして、上顎歯列部３の移動を促進することが可能となる。
【００４１】
また、本実施形態によれば、歯列矯正具１０は、上顎歯列部３を覆うように装着されて上顎歯列部３を矯正するマウスピース１に被着可能としたので、マウスピース１及び歯列矯正具１０で上顎歯列部３を矯正する一方、上顎歯列部３の移動を永久磁石１２で一段と促進することが可能となる。
【００４２】
また、本実施形態において、永久磁石１２が複数の歯根間部９ａのそれぞれに対応する部位に設けられた場合には、複数の歯根間部９ａに位置するそれぞれの歯肉７に均等な磁力がかかることとなり、歯根間部９ａに位置するそれぞれの歯肉７及び歯槽骨内の血行を良くして、上顎歯列部３の移動を一段と促進することが可能となる。
【００４３】
また、本実施形態において、永久磁石１２を歯列矯正具１０に着脱自在に設けた場合には、磁束密度の異なる永久磁石と逐次交換することが可能となる。
【００４４】
なお、本実施形態の歯列矯正具１０は、上顎歯列部３に装着されたマウスピース１の上から上顎歯列部３の前歯４及び奥歯５の歯冠部６を覆うように被着可能に設けた例について説明したが、これに限らず上顎歯列部３の前歯４及び奥歯５の歯冠部６に対応する部位を開口するように形成して、少なくとも歯肉７だけを覆うような形状に形成してもよい。
【００４５】
また、本実施形態の歯列矯正具１０は、上顎歯列部３に装着されたマウスピース１の上から上顎歯列部３の前歯４及び奥歯５の全体を覆うように被着可能としたが、これに限らず上顎歯列部３の前歯４だけ、あるいは奥歯５だけを覆うようにしてもよい。さらに、歯列矯正具１０は、前歯４の一部だけ、あるいは奥歯５の一部だけを覆うようにしてもよい。なお、これらの場合にも、永久磁石１２を設けた歯肉部８によって歯肉７が覆われていることが必要である。
【００４６】
さらに、本実施形態の歯列矯正具１０は、永久磁石１２を舌側（内側）と、頬側（外側）にそれぞれ設けた例について説明したが、永久磁石１２を舌側又は頬側のいずれか一方に設けるようにしてもよい。
［発明の第１実施形態の第１変形例］
次に、本発明の第１実施形態の第１変形例について説明する。
【００４７】
図４は、第１実施形態の第１変形例に係る歯列矯正装置を上顎歯列部に装着した状態を示す斜視図である。なお、第１変形例では、前記第１実施形態と同一又は対応する部分に同一の符号を付して説明を省略する。
【００４８】
図４に示すように、第１変形例の歯列矯正具１０は、永久磁石１２Ａが左右の奥歯５の複数の歯根間部９ａに跨った長さを有する長尺矩形板状に形成されている。また、図示していないが、永久磁石１２Ａは、左右の奥歯５の複数の歯根間部９ａに跨った長さを有する歯肉７にそれぞれに対応する舌側（内側）の部位にも設けられている。この場合、永久磁石１２Ａは、上記ゴム磁石等の柔軟性を有する磁石が用いられ、歯肉７の形状に沿った形状に形成されている。
【００４９】
このように本変形例によれば、永久磁石１２Ａが複数の歯根間部９ａに跨った部位に設けられているので、永久磁石１２の取付数を削減することができ、製造し易くなる。
【００５０】
また、本変形例によれば、永久磁石１２Ａは、歯肉７の形状に沿った板状に形成されているので、永久磁石１２Ａが歯肉７に密着することから、歯肉７及び歯槽骨内の血行を一層良好とし、上顎歯列部３の移動を一段と促進することが可能となる。
［発明の第１実施形態の第２変形例］
次に、本発明の第１実施形態の第２変形例について説明する。
【００５１】
前記第１実施形態では、歯列矯正具１０が上顎歯列部３に装着されたマウスピース１の上から上顎歯列部３の前歯４及び奥歯５の歯冠部６を覆うように被着可能に設けられている。
【００５２】
第２変形例の歯列矯正具１０は、前記第１実施形態と同様に、歯根間部９ａに位置する歯肉７に対応する部位に永久磁石１２が設けられているものの、マウスピース１を省略し、マウスピース１の上からではなく、上顎歯列部３の前歯４及び奥歯５の歯冠部６を直接覆うように装着される。
【００５３】
このように本変形例によれば、歯列矯正具１０は、上顎歯列部３を直接覆うように装着されて上顎歯列部３を矯正するので、マウスピース１を省略して部品点数を削減したにも関わらず、歯列矯正具１０で上顎歯列部３を矯正するとともに、上顎歯列部３の移動を促進することが可能となる。
［発明の第２実施形態］
図５及び図６は、本発明の第２実施形態を示す。
【００５４】
図５は、本発明の第２実施形態に係る歯列矯正装置を上顎歯列部に装着した状態を示す下面図である。図６は、図５のＶＩ−ＶＩ線に沿う断面図である。
【００５５】
なお、本実施形態では、前記第１実施形態及びその変形例と同一又は対応する部分には、同一の符号を付して説明する。
【００５６】
図５及び図６に示すように、歯列矯正装置としての拡大床２０は、左右の床部２１と、拡大手段としての拡大ねじ２２及びガイド部２３とを備える。左右の床部２１は、それぞれ例えばアクリル樹脂等の樹脂シートによって作製され、所定の可撓性を備えている。左右の床部２１は、口腔２内の形状、すなわち口蓋の形状に適合するような形状に成形されている。
【００５７】
左右の床部２１は、図５及び図６に示すようにそれぞれ外縁部２１ａが形成され、各外縁部２１ａは、左右の上顎歯列部３の左右の奥歯５の内側に係止されるように左右の奥歯５の内側の形状に沿うように形成されている。
【００５８】
左右の床部２１は、複数の歯根間部９ａに対応する部位にそれぞれ永久磁石１２が埋設されている。本実施形態では、永久磁石１２が左右の床部２１にそれぞれ４個ずつ設けられている。永久磁石１２は、図５に示すように円板状に形成され、前記第１実施形態と同様に奥歯５の各歯頚ラインＬに対して歯根部９側に４ｍｍ以上離間して配置されている。なお、永久磁石１２のその他の構成及び設置位置等は、前記第１実施形態及び変形例と同様であるため、その説明を省略する。
【００５９】
拡大ねじ２２は、金属によって作製されて左右の床部２１間に設置されている。拡大ねじ２２は、例えば専用の回転用工具を用いて回転させることで、左右の床部２１を介して左右の奥歯５の位置を拡大するような力を付与する。拡大ねじ２２の両側には、それぞれガイド部２３が設けられている。これらのガイド部２３は、拡大ねじ２２を回転させたとき、左右の床部２１が同一平面を保持して開くように案内する。左右の床部２１は、拡大ねじ２２を回転させる前は互いに接触して略連続して形成されている。
【００６０】
次に、本実施形態の歯列矯正装置としての拡大床２０の作用について説明する。
【００６１】
拡大床２０を左右の奥歯４の間に装着するには、左右の奥歯４の歯頚部寄りの内側に、左右の床部２１のそれぞれの外縁部２１ａを嵌め込むことで、左右の奥歯４の間に固定される。これにより、左右の奥歯４を横方向に短期間で拡げることができる。
【００６２】
このように本実施形態の拡大床２０によれば、左右一対の床部２１部の上顎歯列部３の歯根間部９ａに位置する歯肉７に対応する部位に永久磁石１２が設けられているので、それぞれの永久磁石１２で歯根間部９ａに位置する歯肉７及び歯槽骨１１内の血行を良くし、上顎歯列部３の矯正期間を一段と短縮化することが可能となる。
［発明の他の実施形態］
本発明の各実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更、組み合わせを行うことができる。これらの実施形態は、発明の範囲や要旨に含まれると同様に、特許請求の範囲に記載された発明とその均等の範囲に含まれるものである。
【００６３】
上記各実施形態では、歯列矯正具１０及び拡大床２０を上顎歯列部３に装着した例について説明したが、これに限らず下顎歯列部に装着した場合、上顎歯列部３及び下顎歯列部の双方に装着した場合にも適用可能であり、要するに上顎歯列部３及び下顎歯列部の少なくとも一方に装着した場合に適用可能である。
【００６４】
また、上記各実施形態では、歯列矯正具１０の素材、形状については、口腔２内に挿入することができるもので同様の機能を有するものであれば、適宜の素材で構成されていてもよい。
【００６５】
さらに、上記第１実施形態と上記第２実施形態を組み合わせて構成すれば、歯肉７及び歯槽骨１１内の血行をさらに良くし、上顎歯列部３の矯正期間を一段と短縮化することが可能となる。また、上記第１実施形態の変形例と上記第２実施形態を組み合わせて構成したとしても、同様の効果が得られる。
【００６６】
そして、上記各実施形態及び変形例では、歯根間部９ａに位置する歯肉７に対応する部位に永久磁石１２を設けた例について説明したが、これに限らず歯根部９に位置する歯肉７に対応する部位に永久磁石１２を設けるようにしてもよく、要するに、少なくとも歯根間部９ａに位置する歯肉７に対応する部位に永久磁石１２を設ければよい。
【符号の説明】
【００６７】
１  マウスピース
２  口腔
３  上顎歯列部
４  前歯
５  奥歯
６  歯冠部
７  歯肉
８  歯肉部
９  歯根部
９ａ  歯根間部
１０  歯列矯正具（矯正装置本体）
１１  歯槽骨
１２  永久磁石
１２Ａ  永久磁石
２０  拡大床（歯列矯正装置）
２１  床部
２１ａ  外縁部
２２  拡大ねじ（拡大手段）
２３  ガイド部（拡大手段）
【要約】
【課題】構造を極めて簡素化し、歯列部の移動を促進することが可能な歯列矯正装置を提供する。
【解決手段】歯列矯正具１０は、上顎歯列部３の少なくとも歯根間部９ａに位置する歯肉７を覆うように装着される。また、歯列矯正具１０は、少なくとも歯根間部９ａに位置する歯肉７に対応する部位に永久磁石１２が設けられている。
【選択図】図１【図１】
0006945111.tif 000002
【図２】
0006945111.tif 000003
【図３】
0006945111.tif 000004
【図４】
0006945111.tif 000005
【図５】
0006945111.tif 000006
【図６】
0006945111.tif 000007